(57)【要約】      （修正有）【課題】スキャン中に発生する待ち時間を削減または有効利用するシステムを提供する。【解決手段】無線基地局は、配下の無線端末が周辺の無線基地局をスキャンする際、前記無線端末のＩＤと前記無線端末宛のデータパケットの複製を、有線インタフェース経由で前記周辺の無線基地局に転送する手段と、前記ＩＤと前記データパケットが転送されてきた場合、前記無線端末に前記データパケットを送信する手段と、送信完了したデータパケットのシーケンス番号を、前記有線インタフェース経由で周辺の無線基地局に転送する手段を備える。  また、無線端末は、周辺の無線基地局を検出するためのスキャン手段と、スキャン中にデータパケットを送信、または受信する手段を備える。または、同一のチャネルを使用する他の無線基地局がない場合、即座に次のチャネルのスキャンに移行する手段を備える。【選択図】図８
2008066915.tif 000002
【特許請求の範囲】
【請求項１】
互いに有線または無線で接続された複数の無線基地局とハンドオーバ処理により接続先の無線基地局を変更しながら通信を行う無線端末とを備えた無線通信システムにおける無線端末であって、
接続中の無線基地局から他の無線基地局の使用チャネル情報を受信するチャネル情報受信手段と、
ハンドオーバ処理のスキャン動作中に、前記使用チャネル情報に含まれるスキャン中のチャネルを使用している全ての無線基地局からのプローブ応答を受信した場合、そのチャネルのスキャンを終了させるスキャン制御手段と、を備えた無線端末。
【請求項２】
互いに有線または無線で接続された複数の無線基地局とハンドオーバ処理により接続先の無線基地局を変更しながら通信を行う無線端末とを備えた無線通信システムにおける無線端末であって、
接続中の無線基地局から他の無線基地局の使用チャネル情報を受信するチャネル情報受信手段と、
ハンドオーバ処理のスキャン動作中に、前記使用チャネル情報に含まれるスキャン中のチャネルを使用している全ての無線基地局からのプローブ応答を受信した場合、そのチャネルでデータパケットを送信するデータパケット送信手段と、を備えた無線端末。
【請求項３】
互いに有線または無線で接続された複数の無線基地局とハンドオーバ処理により接続先の無線基地局を変更しながら通信を行う無線端末とを備えた無線通信システムにおける無線基地局であって、
前記無線端末宛のデータパケットを受信する転送データ受信手段と、
前記無線端末がハンドオーバ処理のスキャン動作中に、前記無線端末に前記無線端末宛のデータパケットを送信する転送データ送信手段と、を備えた無線基地局。
【請求項４】
前記転送データ送信手段は、前記無線端末に送信したプローブ応答パケットに対するＡＣＫ（Ａｃｋｎｏｗｌｅｄｇｍｅｎｔ）の受信後に、前記無線端末宛のデータパケットを送信する請求項３記載の無線基地局。
【請求項５】
前記転送データ送信手段は、プローブ応答パケットに前記無線端末宛のデータパケットを多重して送信する請求項３記載の無線基地局。
【請求項６】
前記無線基地局は、前記無線端末に送信完了したデータパケットのシーケンス番号を他の無線基地局に送信するシーケンス番号通知手段、をさらに備えた請求項３記載の無線基地局。
【請求項７】
前記無線基地局は、他の無線基地局から前記送信完了したシーケンス番号を受信した場合に、前記シーケンス番号のデータパケットを廃棄するデータパケット廃棄手段、をさらに備えた請求項６記載の無線基地局。
【請求項８】
前記無線基地局は、前記無線基地局が自局と接続して通信している状態からハンドオーバ処理を開始する際に、前記無線端末宛のデータパケットを他の無線基地局に転送するデータパケット転送手段、をさらに備えた請求項３記載の無線基地局。
【請求項９】
前記無線基地局は、
他の無線基地局に自局のＩＤと使用チャネル情報とを送信する自局情報通知手段と、
他の無線基地局から受信した他の無線基地局の使用チャネル情報を記憶する他局情報記憶手段と、
前記無線端末が自局と接続して通信している場合に、前記他の無線基地局の使用チャネル情報を前記無線端末に送信する他局情報通知手段と、をさらに備えた請求項３記載の無線基地局。
【発明の詳細な説明】
【技術分野】
【０００１】
本発明は、無線ＬＡＮ（Ｌｏｃａｌ  Ａｒｉａ  Ｎｅｔｗｏｒｋ）等の無線ネットワークにおいて、無線端末の移動にともない無線基地局を切り替えるハンドオーバー方法に関し、より特定的には、周辺の無線基地局を検出するためのスキャン処理によって生じるパケットの遅延時間を低減させる通信方法に関するものである。
【背景技術】
【０００２】
無線ＬＡＮの標準規格に、ＩＥＥＥ８０２．１１がある。ＩＥＥＥ８０２．１１では、無線端末がハンドオーバーするために周辺の無線基地局を検出するためのスキャン方法として、パッシブスキャンとアクティブスキャンの２種類の方法が規定されている。
【０００３】
パッシブスキャンは、無線端末が、周辺の無線基地局によって周期的に送信されるビーコンをモニタすることにより、周辺の無線基地局を検出する方法である。周辺の無線基地局がそれぞれ異なるチャネルを使用している場合には、無線端末は、各チャネルに切り替えて順番に検出を行う。
【０００４】
アクティブスキャンは、無線端末が、プローブ要求パケットをブロードキャストし、周辺の無線基地局からの応答（プローブ応答パケット）を受信することで、周辺の無線基地局を検出する方法である。無線端末は、プローブ要求パケットを送信後、タイマを起動してチャネルを監視する。チャネルを監視するための待ち時間には２種類あり、それぞれ、最小チャネル待ち時間と最大チャネル待ち時間と呼ばれている。無線端末は、プローブ要求パケットを送信した後、タイマが最小チャネル待ち時間に達するまでにプローブ応答パケットを受信しなければ、次のチャネルに切り替えて、再度プローブ要求パケットの送信を開始する。一方、最小チャネル待ち時間以内にプローブ応答パケットを受信した場合には、タイマが最大チャネル待ち時間に達するまで、そのチャネルでの監視を継続する。タイマが最大チャネル待ち時間に達した時点で、次のチャネルに切り替えて、再度プローブ要求パケットの送信を開始する。
【０００５】
図２を用いて、無線端末のアクティブスキャンについて詳細に説明する。なお、周辺の無線基地局２０１、２０２は、同一のチャネル（ｃｈ  Ｂ）を使用していると仮定する。無線端末１００は、所属する無線基地局との電波受信強度が悪化すると、スキャンを開始する。無線端末１００が、プローブ要求パケットをブロードキャストすると、周辺の無線基地局２０１、および無線基地局２０２は、無線伝送路をキャリアセンスして、プローブ応答パケットを返信する。図２では、無線基地局２０２が、最初にプローブ応答パケットの返信に成功した例を示している。無線端末１００は、最小チャネル待ち時間以内にプローブ応答パケットを受信したため、そのチャネル（ｃｈ  Ｂ）での監視を継続する。その後、無線端末１００は、無線基地局２０２に、ＡＣＫ（Ａｃｋｎｏｗｌｅｄｇｍｅｎｔ）を返信する。
【０００６】
一方、無線基地局２０１は、バックオフ処理によってランダム時間待機した後に、プローブ応答パケットを返信する。
【０００７】
無線端末１００のタイマが最大チャネル待ち時間に達した時点で、チャネルを切り替え、上記と同一の処理を繰り返す。
【０００８】
なお、図２中のＤＩＦＳ（Ｄｉｓｔｒｉｂｕｔｅｄ  Ｉｎｔｅｒ  Ｆｒａｍｅ  Ｓｐａｃｅ）、およびＳＩＦＳ（Ｓｈｏｒｔ  Ｉｎｔｅｒ  Ｆｒａｍｅ  Ｓｐａｃｅ）はパケット間ギャップである。ＤＩＦＳは、ＩＥＥＥ８０２．１１ａでは１６μｓ、ＩＥＥＥ８０２．１１ｂでは１０μｓと規定されている。一方、ＳＩＦＳは、ＩＥＥＥ８０２．１１ａでは３４μｓ、ＩＥＥＥ８０２．１１ｂでは５０μｓと規定されている。
【０００９】
このように、アクティブスキャンでは、無線端末は、無線基地局のビーコンを待つ必要がないため、パッシブスキャンよりも高速に周辺の無線基地局を検出できるが、周辺の無線基地局がどのようなチャネルを使用しているか分からないため、全てのチャネルをスキャンする必要がある。
【００１０】
これに対し、特許文献１では、無線端末が事前に所属する無線基地局から周辺の無線基地局が使用しているチャネルを通知してもらうことで、周辺の無線基地局が使用しているチャネルに的を絞ったスキャンができ、スキャンに要する時間を短縮する方法が開示されている。
【特許文献１】特開２００５−８６６２３号公報
【発明の開示】
【発明が解決しようとする課題】
【００１１】
しかしながら、特許文献１に記載の方法では、スキャンを行うチャネルについては最大待ち時間まで監視を継続するため、図３に示すように、データパケットの遅延が生じるという課題を有していた。
【００１２】
本発明は、前記従来の課題を解決し、スキャン中に発生する待ち時間を削減または有効利用するシステムを提供することを目的とする。
【課題を解決するための手段】
【００１３】
前記従来の課題を解決するために、本発明の第１の無線端末は、互いに有線または無線で接続された複数の無線基地局とハンドオーバ処理により接続先の無線基地局を変更しながら通信を行う無線端末とを備えた無線通信システムにおける無線端末であって、接続中の無線基地局から他の無線基地局の使用チャネル情報を受信するチャネル情報受信手段と、ハンドオーバ処理のスキャン動作中に、前記使用チャネル情報に含まれるスキャン中のチャネルを使用している全ての無線基地局からのプローブ応答を受信した場合、そのチャネルでデータパケットを送信するデータパケット送信手段とを備える。
【００１４】
また、本発明の第２の無線端末は、互いに有線または無線で接続された複数の無線基地局とハンドオーバ処理により接続先の無線基地局を変更しながら通信を行う無線端末とを備えた無線通信システムにおける無線端末であって、接続中の無線基地局から他の無線基地局の使用チャネル情報を受信するチャネル情報受信手段と、ハンドオーバ処理のスキャン動作中に、前記使用チャネル情報に含まれるスキャン中のチャネルを使用している全ての無線基地局からのプローブ応答を受信した場合、そのチャネルのスキャンを終了させるスキャン制御手段とを備える。
【００１５】
また、本発明の第１の無線基地局は、互いに有線または無線で接続された複数の無線基地局とハンドオーバ処理により接続先の無線基地局を変更しながら通信を行う無線端末とを備えた無線通信システムにおける無線基地局であって、前記無線端末宛のデータパケットを受信する転送データ受信手段と、前記無線端末がハンドオーバ処理のスキャン動作中に、前記無線端末に前記無線端末宛のデータパケットを送信する転送データ送信手段とを備える。
【００１６】
また、本発明の第１の無線基地局は、無線端末に送信完了したデータパケットのシーケンス番号を他の無線基地局に送信するシーケンス番号通知手段をさらに備えていてもよい。
【発明の効果】
【００１７】
本発明によれば、無線基地局が、周辺の無線基地局が使用しているチャネルと、前記チャネルを使用している周辺の無線基地局の台数を明記したリストを無線端末に通知しておくことで、スキャン中の無駄な最大待ち時間を回避することができる。
【００１８】
具体的には、無線端末がスキャン中のチャネルを使用している無線基地局が全て応答したことを確認した時点でスキャンを終了することにより、無駄な待ち時間を削減できる。また、無線端末がスキャン中のチャネルを使用している無線基地局が全て応答したことを確認した時点で、スキャン中のチャネルでデータの送信を行うことにより、通信の中断を防ぐことができる。
【００１９】
また、無線基地局が、配下の無線端末のスキャン対象となる周辺の無線基地局に、無線端末宛のデータパケットを転送しておくことで、周辺の無線基地局は、スキャン中も前記データパケットを送信することができる。
【００２０】
また、無線基地局が、無線端末に送信完了したデータパケットのシーケンス番号を他の無線基地局に通知することにより、無線端末がスキャンを行うチャネルを切り替えても、既に受信したパケットの続きのパケットから受信することができる。
【発明を実施するための最良の形態】
【００２１】
以下本発明の実施の形態について、図面を参照しながら説明する。
【００２２】
（実施の形態１）
図１は、本発明の実施の形態１における無線基地局１００〜３００と無線端末から構成された無線ＬＡＮシステムの構成を示す図である。無線基地局１００はチャネルＡ、無線基地局２００はチャネルＢ、無線基地局３００はチャネルＣを使用している。図４、および図５は、本発明の実施の形態１における無線基地局の動作を示すフローチャートである。図６は、本発明の実施の形態１における無線端末の動作を示すフローチャートである。また、図８は、本発明の実施の形態１における無線基地局の内部構成を示すブロック図である。図９は、本発明の実施の形態１における無線端末の内部構成を示すブロック図である。図１０は、本発明の実施の形態１における無線端末のスキャン中のデータパケットの送受信を示す図である。
【００２３】
図１、図４、図５、および図８を参照しながら、本発明における無線基地局の動作を説明する。
【００２４】
無線基地局から無線端末にデータパケットを送信する場合、ＣＰＵ１７が、外部ネットワークとのインタフェースであるイーサネット（登録商標）１６から入力されるイーサネット（登録商標）フレームをベースバンド処理部１１に渡す。ベースバンド処理部１１は、キャリアセンスなどのメディアアクセス制御（ＭＡＣ）機能、および変復調機能から成る。ベースバンド処理部１１で変調されたデータパケットは、高周波部１８によって無線伝送路に送出される。
【００２５】
一方、無線基地局がパケットを受信する場合には、ＣＰＵ１７は、ベースバンド処理部１１で復調されたデータパケットをイーサネット（登録商標）１６に渡す。
【００２６】
次に、本発明の実施の形態１における無線基地局の動作フローを説明する。
【００２７】
無線基地局１００は、Ｓ１０１において、自身の電源オン時、またはそれ以外の任意の時間に、周辺の無線基地局２００、３００に、イーサネット（登録商標）などの有線経由で、自身の使用チャネルとＩＤ（例えばＭＡＣアドレスなどの識別子）を通知する。この結果、各無線基地局１００〜３００は、周辺の無線基地局が使用しているチャネルと、前記チャネルを使用している無線基地局の台数を明記したリストをメモリ１３に格納する。
【００２８】
無線基地局１００〜３００は、Ｓ１０２において、配下の無線端末に、前記リストを通知する。無線基地局１００が通知するリストには、ｃｈＢの無線基地局が１台、ｃｈＣの無線基地局が１台と記載される。なお、無線基地局１００が前記リストを通知するタイミングは、任意の時間でよい。
【００２９】
次に、無線基地局１００は、Ｓ１０３にて、配下の無線端末から、スキャンモードに入ることを通知されると、Ｓ１０４にて、前記無線端末のＩＤ（例えばＭＡＣアドレスなどの識別子）と、前記無線端末宛のデータパケットの複製を周辺の無線基地局２００、３００にイーサネット（登録商標）などの有線経由でブロードキャストする。
【００３０】
次に、周辺の無線基地局の動作フローを説明する。ここでは、図１に示すように、スキャンする無線端末が、最初に無線基地局２００にプローブ要求パケットを送信した場合の例を説明する。
【００３１】
Ｓ２０１にて、前記無線端末のＩＤと前記無線端末宛のデータパケットを有線経由で受信した周辺の無線基地局２００、３００のうち、Ｓ２０２にて、前記無線端末からのプローブ要求パケットを受信した無線基地局２００は、Ｓ２０３にて、無線伝送路をキャリアセンスし、前記無線端末にプローブ応答パケットを返信する。その後、Ｓ２０４にて、無線基地局２００は、前記無線端末からＡＣＫを受信する。
【００３２】
次に、無線基地局２００は、Ｓ２０５にて、無線伝送路をキャリアセンスし、Ｓ２０６にて、前記無線端末からのチャネル切り替え要求を受信した場合、Ｓ２１３にて、前記無線端末に対するスキャン処理を終了する。
【００３３】
一方、Ｓ２０６にて、前記無線端末からのチャネル切り替え要求を受信しなければ、以下の処理を行う。無線基地局２００が、Ｓ２０７にて、前記無線端末からのデータパケットを受信した場合、Ｓ２０８にて、受信処理を開始する。
【００３４】
一方、Ｓ２０７にて、前記無線端末からのデータパケットを受信せず、Ｓ２０９にて、無線基地局１００から転送された前記無線端末宛のデータパケットを保有している場合、Ｓ２１０にて、無線伝送路をキャリアセンスして、前記無線端末にデータパケットを送信する。この後、Ｓ２１１にて、前記無線端末からのＡＣＫを受信すれば、Ｓ２１２にて、無線基地局２００のシーケンス番号転送部１２が、送信完了したデータパケットのシーケンス番号を、有線経由で周辺の無線基地局１００、３００に通知する。前記シーケンス番号を受信した周辺の無線基地局１００、３００のパケット廃棄部１４は、該当する番号のデータパケットを廃棄する。
【００３５】
なお、本実施の形態では、プローブ応答パケットに対して無線端末が返信するＡＣＫの後に、前記無線端末にデータパケットの送信を行う例を説明したが、プローブ応答パケットに送信すべきデータパケットを多重してもよい。
【００３６】
次に、図６、図９を参照しながら、本発明における無線端末の動作を説明する。
【００３７】
無線端末からデータパケットを送信する場合、ＰＣカードスロットなどの外部インタフェースから入力されるデータフレームを、前記外部インタフェースの先にあるホストＣＰＵが、ベースバンド処理部０１に渡す。ベースバンド処理部０１は、キャリアセンスなどのメディアアクセス制御（ＭＡＣ）機能、および変復調機能から成る。ベースバンド処理部０１で変調されたパケットは、高周波部０５によって無線伝送路に送出される。
【００３８】
一方、無線端末がパケットを受信する場合には、前記ホストＣＰＵは、ベースバンド処理部０１で復調されたデータフレームを外部インタフェースに渡す。
【００３９】
次に、本発明の実施の形態１における無線端末の動作フローを説明する。
【００４０】
無線端末は、Ｓ００１にて、所属する無線基地局１００から、周辺の無線基地局２００、３００が使用しているチャネルと、前記チャネルを使用している無線基地局の台数を明記したリストを受信し、メモリ０４に記憶しておく。Ｓ００２にて、所属する無線基地局１００との電波受信強度が悪化した場合、Ｓ００３にて、自身がスキャンモードに入ることを、所属する無線基地局１００に通知する。
【００４１】
前記無線端末は、Ｓ００４にて、メモリ０４内の前記リストを参照し、Ｓ００５にて、未スキャンのチャネルが存在すれば、Ｓ００７にて、未スキャンのチャネルに切り替える。一方、未スキャンのチャネルが存在しない場合、前記無線端末は、Ｓ００６にて、スキャンを終了し、チャネルを元に切り替えて、無線基地局１００と切断処理を行い、周辺の無線基地局２００、３００にハンドオーバーするか、または、無線基地局１００との接続を維持するか決定する。
【００４２】
前記無線端末は、Ｓ００７にて、未スキャンのチャネルに切り替えると、Ｓ００８にて、プローブ要求パケットを送信する。さらに、タイマ０３を起動させる。
【００４３】
次に、Ｓ００９にて、タイマ０３が、事前に決められた最小待ち時間に達するまでに、無線基地局２００からのプローブ応答があり、且つ、Ｓ０１０にて、前記リストにより、同一のチャネルを使用する他の無線基地局がある場合、Ｓ０１１にて、タイマ０３が、事前に決められた最大待ち時間に達するまで、Ｓ０１２にて、他の前記無線基地局からのプローブ応答パケットを受信するために待機する。
【００４４】
図１の例では、無線基地局２００と同一のチャネルを使用する他の無線基地局が存在しないため、Ｓ０１３にて、タイマ０３が、事前に決められた最大待ち時間に達するまで、Ｓ０１４にて、無線基地局２００とデータパケットの送信、または受信を行う。
【００４５】
以上に説明したように、本発明の無線基地局、および無線端末によれば、図１０に示すように、スキャン中のデータパケットの送受信が可能となる。さらに、無線端末がチャネル（無線基地局）を切り替えてスキャンを続行しても、続きのパケットから受信することが可能となる。
【００４６】
なお、以上に述べた全実施の形態は、集積回路であるＬＳＩとして実現することもできる。これらは、個別に１チップ化されても良いし、すべての構成、または一部の構成を含むように１チップ化されても良い。
【００４７】
ここでは、ＬＳＩとしたが、集積度の違いにより、ＩＣ、システムＬＳＩ、スーパーＬＳＩ、ウルトラＬＳＩと呼称されることもある。
【００４８】
また、集積回路化の手法は、ＬＳＩに限るものではなく、専用回路、または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【００４９】
さらには、半導体技術の進歩、または派生する別技術により、ＬＳＩに置き換わる集積回路化の技術が登場すれば、当然、その技術を用いて機能ブロックの集積化を行っても良い。
【００５０】
（実施の形態２）
図７は、本発明の実施の形態２における無線端末の動作を示す流れ図である。図７を参照しながら、本発明における無線端末の動作フローを説明する。なお、Ｓ３０１〜Ｓ３０９までは、実施の形態１と同一の処理のため、説明を省略する。
【００５１】
Ｓ３０９にて、無線端末のタイマ０３が、事前に決められた最小待ち時間に達するまでに、無線基地局２００からのプローブ応答があり、且つ、Ｓ３１０にて、実施の形態１に記載したメモリ０４内のリストにより、同一のチャネルを使用する他の無線基地局がない場合、チャネル切り替え通知を無線基地局２００に送信し、即座に次のスキャンに移行する。
【００５２】
一方、Ｓ３１０にて、前記リストにより、同一のチャネルを使用する他の無線基地局がある場合、Ｓ０１２にて、タイマ０３が、事前に決められた最大待ち時間に達するまで、Ｓ０１３にて、他の前記無線基地局からのプローブ応答パケットを受信するために待機する。
【００５３】
以上に説明したように、本発明の無線端末によれば、スキャンに要する時間を短縮することが可能となる。
【００５４】
なお、以上に述べた全実施の形態は、集積回路であるＬＳＩとして実現することもできる。これらは、個別に１チップ化されても良いし、すべての構成、または一部の構成を含むように１チップ化されても良い。
【００５５】
ここでは、ＬＳＩとしたが、集積度の違いにより、ＩＣ、システムＬＳＩ、スーパーＬＳＩ、ウルトラＬＳＩと呼称されることもある。
【００５６】
また、集積回路化の手法は、ＬＳＩに限るものではなく、専用回路、または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【００５７】
さらには、半導体技術の進歩、または派生する別技術により、ＬＳＩに置き換わる集積回路化の技術が登場すれば、当然、その技術を用いて機能ブロックの集積化を行っても良い。
【産業上の利用可能性】
【００５８】
本発明にかかる通信方法、および装置（無線端末、および無線基地局）は、ＶｏＩＰなどの遅延保証が必要なアプリケーションに有用である。
【図面の簡単な説明】
【００５９】
【図１】無線ＬＡＮ等の無線ネットワークを示す図
【図２】ＩＥＥＥ８０２．１１のアクティブスキャンの動作を示す図
【図３】ＩＥＥＥ８０２．１１のアクティブスキャンによるデータパケットの遅延を示す図
【図４】本発明の実施の形態１における無線基地局の動作を示す流れ図（その一）
【図５】本発明の実施の形態１における無線基地局の動作を示す流れ図（その二）
【図６】本発明の実施の形態１における無線端末の動作を示す流れ図
【図７】本発明の実施の形態２における無線端末の動作を示す流れ図
【図８】本発明における無線基地局の内部構成を示すブロック図
【図９】本発明における無線端末の内部構成を示すブロック図
【図１０】本発明における無線端末のスキャン中のデータパケットの送受信を示す図
【符号の説明】
【００６０】
１００    無線基地局（ｃｈ  Ａ）
２００    周辺の無線基地局（ｃｈ  Ｂ）
２０１    周辺の無線基地局（ｃｈ  Ｂ）
２０２    周辺の無線基地局（ｃｈ  Ｂ）
３００    周辺の無線基地局（ｃｈ  Ｃ）
０１    ベースバンド処理部（無線端末）
０２    スキャン部
０３    タイマ
０４    メモリ（無線端末）
０５    高周波部（無線端末）
１１    ベースバンド処理部（無線基地局）
１２    シーケンス番号転送部
１３    メモリ（無線基地局）
１４    パケット廃棄部
１５    パケットバッファ
１６    外部インタフェース（イーサネット（登録商標））
１７    ＣＰＵ
１８    高周波部（無線基地局）
【図１】
2008066915.tif 000003
【図２】
2008066915.tif 000004
【図３】
2008066915.tif 000005
【図４】
2008066915.tif 000006
【図５】
2008066915.tif 000007
【図６】
2008066915.tif 000008
【図７】
2008066915.tif 000009
【図８】
2008066915.tif 000010
【図９】
2008066915.tif 000011
【図１０】
2008066915.tif 000012